(57)【特許請求の範囲】
【請求項１】
配線を流れる電流をセンサで検出する際に、前記配線を押さえ込む配線押さえ治具であって、
前記配線押さえ治具は、
前記配線を押さえ込む溝部をそれぞれに有すると共に、前記配線を流れる電流を検出する前記センサをそれぞれに備えた一対の押さえ台と、
該一対の押さえ台を連結し、前記配線を押さえ込む際には前記一対の押さえ台の閉じ動作をする蝶番と、
前記一対の押さえ台の一方の前記押さえ台の前記溝部の長手方向の両側面に、一方の前記押さえ台と一緒に動作するよう一体に設けられ、他方の前記押さえ台に形成されている溝部に前記配線が固定された状態で、一方の前記押さえ台を他方の前記押さえ台と重なるように前記蝶番を介して閉じる際に、他方の前記押さえ台に形成されている前記溝部に前記配線を案内する傾斜面が形成されている凹部を中央部に有するガイド機構とを備え、
前記ガイド機構の凹部は、
一方の前記押さえ台と他方の前記押さえ台が開いた状態で底部が最も狭く、上方に向うに従い末広がり状となっているＶ型溝であり、
かつ、前記ガイド機構の凹部は、一方の前記押さえ台を他方の前記押さえ台と重なるように前記蝶番を介して閉じる際に、前記配線を他方の前記押さえ台に形成されている前記溝部へ収まるように誘導することを特徴とする配線押さえ治具。
【請求項２】
請求項１に記載の配線押さえ治具において、
一対の前記押さえ台に形成されている前記溝部の各々は、対象の配線径の中で最も太い線径に合わせた径になっており、前記溝部より前記配線径が細い場合には、前記配線の外周にチューブを設け、前記配線を、一対の前記押さえ台に形成されている前記溝部の各々と同等の太さとすることを特徴とする配線押さえ治具。
【発明の詳細な説明】
【技術分野】
【０００１】
本発明は配線押さえ治具に係り、例えば、制御盤などの配線の電流を検出する際に、当該配線の位置がずれないように押さえ込むために用いられる配線押さえ治具に関する。
【背景技術】
【０００２】
制御盤などの配線の電流を検出する際に、当該配線を押さえ込む配線押さえ治具に関するものとして、特許文献１を挙げることができる。
【０００３】
この特許文献１では、受配電設備の管理や保護のために、定常電流や地絡、短絡時の異常電流を検出する電流センサを用いている。この電流センサは、環状の電流センサの内側の孔に電流の流れる線状の被測定導体（配線）を通すことにより、その電流の変化によって配線の周囲に発生する磁束の閉ループを内部に作る磁性体と、その磁性体内の磁束を検出する磁気センサとを備えており、磁気センサで捉えた磁性体内の磁束を介して配線に流れる電流を検出するものである。
【０００４】
ところで、電流センサは、環状とされた磁性体の中心位置に配線を配置しないと、磁性体内に発生する磁束が均一ではなくなり、電流の測定誤差が生じてしまうことが考えられるため、電流センサを使用する際は、配線が電流センサの磁性体の孔の中心に位置するようにできれば、より正確な電流測定ができる。
【０００５】
このようなことから、特許文献１に記載されている電流センサは、ヒンジによって結合される配線押さえ治具である第１ケースと第２ケース及び第２ケースから伸びている出力導線を備え、第１ケースと第２ケースのそれぞれには、環状とされた磁性体を２つの部分に分けた第１部材と第２部材が、第１ケースと第２ケースを閉じたときに環状の磁性体を形成するように格納され、第１ケースには、弾性のある２つの棒状の固定部材が対称に設けられており、第１ケースと第２ケースを開き、磁性体の孔に被測定導体（配線）を通して第１ケースと第２ケースを閉じるだけで、電流センサは、２つの固定部材によって第２ケースに押圧される配線に固定されるものである。
（特許文献１参照）
【先行技術文献】
【特許文献】
【０００６】
【特許文献１】特開２００６−３４３１５７号公報
【発明の概要】
【発明が解決しようとする課題】
【０００７】
しかしながら、上述した特許文献１に記載された技術では、電流センサは、配線が固定部材によって押付けられて固定されているだけであるため、作業者が変わった場合には、作業者による固定部材の配線への押付け方の個人差により配線位置がばらつき、正確に位置決めして電流を測定することができないという課題がある。
【０００８】
本発明は上述の点に鑑みなされたもので、その目的とするところは、作業者が変わった場合であっても、配線の位置のばらつきがなく、正確に位置決めして配線の電流測定が行なえる配線押さえ治具を提供することにある。
【課題を解決するための手段】
【０００９】
本発明の配線押さえ治具は、上記目的を達成するために、配線を流れる電流をセンサで検出する際に、前記配線を押さえ込む配線押さえ治具であって、前記配線押さえ治具は、前記配線を押さえ込む溝部をそれぞれに有すると共に、前記配線を流れる電流を検出する前記センサをそれぞれに備えた一対の押さえ台と、該一対の押さえ台を連結し、前記配線を押さえ込む際には前記一対の押さえ台の閉じ動作をする蝶番と、前記一対の押さえ台の一方の前記押さえ台の前記溝部の長手方向の両側面に、一方の前記押さえ台と一緒に動作するよう一体に設けられ、他方の前記押さえ台に形成されている溝部に前記配線が固定された状態で、一方の前記押さえ台を他方の前記押さえ台と重なるように前記蝶番を介して閉じる際に、他方の前記押さえ台に形成されている前記溝部に前記配線を案内する傾斜面が形成されている凹部を中央部に有するガイド機構とを備え、前記ガイド機構の凹部は、一方の前記押さえ台と他方の前記押さえ台が開いた状態で底部が最も狭く、上方に向うに従い末広がり状となっているＶ型溝であり、かつ、前記ガイド機構の凹部は、一方の前記押さえ台を他方の前記押さえ台と重なるように前記蝶番を介して閉じる際に、前記配線を他方の前記押さえ台に形成されている前記溝部へ収まるように誘導することを特徴とする。
【発明の効果】
【００１０】
本発明によれば、作業者が変わった場合であっても、配線の位置のばらつきがなく、正確に位置決めして配線の電流測定が行なえるようにする配線押さえ治具を得ることができる。
【図面の簡単な説明】
【００１１】
【図１】本発明の配線押さえ治具の実施例１であり、配線押さえ治具の一対の押さえ台を開いた状態を示す正面図である。
【図２】図１の平面図である。
【図３】図１及び図２の状態から配線押さえ治具の一対の押さえ台を閉じた状態を示す正面図である。
【図４】本発明の配線押さえ治具の実施例２であり、配線押さえ治具の一対の押さえ台を開いた状態を示す正面図である。
【発明を実施するための形態】
【００１２】
以下、図示した実施例に基づいて本発明の配線押さえ治具を説明する。
【実施例１】
【００１３】
図１及び図２は、本発明の配線押さえ治具の実施例１であり、後述する配線押さえ治具の一対の押さえ台を開いた状態を示す。
【００１４】
該図に示す如く、本実施例の配線押さえ治具１０は、配線７を押さえ込む溝部１Ａ、２Ａをそれぞれに有すると共に、配線７を流れる電流を検出する高感度センサ（例えば、磁気センサ）５Ａ、５Ｂをそれぞれに備えた一対の押さえ台１、２と、この一対の押さえ台１、２を連結し、配線７を押さえ込む際には押さえ台１の閉じ動作をする蝶番６と、一対の押さえ台１、２の一方の押さえ台（本実施例では押さえ台１）の両側面に設けられ、一対の押さえ台１、２を閉じる際に、他方の前記押さえ台（本実施例では押さえ台２）に形成されている溝部２Ａに配線７を案内する傾斜面が形成されている凹部８を有するガイド機構３Ａ、３Ｂとから概略構成されている。
【００１５】
押さえ台１、２には、それぞれ高感度センサ５Ａ、５Ｂを取り付けたプリント盤４Ａ、４Ｂが取り付けられている。また、ガイド機構３Ａ、３Ｂに形成され、かつ、押さえ台２の溝部２Ａに配線７を案内する傾斜面が形成されている凹部８は、底部が最も狭く、上方に向うに従い末広がり状となってＶ型溝を形成している。
【００１６】
次に、本実施例による配線７の押さえ込み方について図３を用いて説明する。
【００１７】
先ず、配線７を押さえ台２の溝部２Ａに固定し、押さえ台１が押さえ台２と重なるように押さえ台１を蝶番６を介して閉じていく。この押さえ台１を閉じていく際に配線７が溝部２Ａから脱落、または位置ズレをしていると、ガイド機構３Ａ、３ＢのＶ型溝となっている凹部８が配線７を溝部２Ａへ収まるように誘導し、押さえ台１と押さえ台２が完全に閉じた時に配線７は所定の位置に収まり固定される。
【００１８】
この状態で配線７に流れる電流を高感度センサ５Ａ、５Ｂで測定することにより、作業者によるバラツキなく安定して電流を測定することができる。
【００１９】
このような本実施例の構成とすることにより、配線７の位置ズレ及び挟み込みを防止できるため、取付後の配線位置が作業者による影響を受けにくく、また、配線７の挟み込みによる断線の危険が無く、安全に取付けることができ、作業者が変わった場合であっても、配線７の位置のばらつきがなく、正確に位置決めして配線の電流測定が行なえる。
【００２０】
なお、ガイド機構３Ａ、３Ｂの設置場所は、押さえ台１、２のいずれに設置してもよいし、ガイド機構３Ａと３Ｂを、押さえ台１、２のそれぞれに分けて設置しても本発明の効果を得ることができる。また、ガイド機構３Ａ、３Ｂは、センサを挟み込むように２点で配線７を固定できる位置であれば、必ずしも押さえ台１の両側面である必要はない。
【実施例２】
【００２１】
図４に、本発明の配線押さえ治具の実施例２を示す。
【００２２】
本実施例では、押さえ台２に形成されている溝部２Ａが、異なる配線径に対応可能なように、対象の線径の中で最も太い線径に合わせた径になっており、細い線径の配線７Ａに関しては、配線７Ａにビニールチューブ９を取り付け、線径を増すことで、実施例１で説明したガイド機構３Ａ、３Ｂにより所定の位置に誘導されるため、異なる線径であっても配線７Ａと高感度センサ５Ａ、５Ｂの距離が安定し、作業者によるバラツキなく計測することが可能となる。
【００２３】
即ち、押さえ台２に形成されている溝部２Ａより配線径が細い場合には、配線７Ａの外周にビニールチューブ９が設けられ、押さえ台２に形成されている溝部２Ａと同等の太さとすればよい。
【００２４】
このような本実施例の構成であっても、実施例１と同様な効果を得ることができる。
【実施例３】
【００２５】
特に図示しないが、ガイド機構３Ａ、３Ｂ自体を変位可能にして、配線径に合わせる構成としてもよい。
【００２６】
例えば、ガイド機構３Ａ、３Ｂに楕円穴を形成すると共に、押さえ台１に固定ねじを配線径に合わせ位置に設け、楕円穴を介してガイド機構３Ａ、３Ｂを上下に移動させて、所定の配線径に来たら固定することでも良い。
【００２７】
この構成でも、作業者によるバラツキなく安定して電流を測定することができる。
【００２８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２９】
１、２…押さえ台、１Ａ、２Ａ…溝部、３Ａ、３Ｂ…ガイド機構、４Ａ、４Ｂ…プリント盤、５Ａ、５Ｂ…高感度センサ、６…蝶番、７、７Ａ…配線、８…凹部、９…ビニールチューブ、１０…配線押さえ治具。
【図１】
0006539223.tif 000002
【図２】
0006539223.tif 000003
【図３】
0006539223.tif 000004
【図４】
0006539223.tif 000005